【事件の表示】
　特願２００９−１３９４６２「ネットショッピング管理装置」拒絶査定不服審判事件〔平成２２年１２月２４日出願公開、特開２０１０−２８６９９１〕について、次のとおり審決する。
【結　論】
　本件審判の請求は、成り立たない。
【理　由】
第１　手続の経緯
　
　本願は、平成２１年６月１０日の出願であって、平成２４年１月２７日付けで拒絶理由通知がなされ、同年４月５日に手続補正がなされたが、同年５月２５日付けで拒絶査定がなされ、これに対し、同年８月２４日に拒絶査定不服審判が請求されるとともに手続補正がなされ、当審において、平成２５年３月７日付けで審尋がなされ、同年４月３０日に回答書が提出されたものである。
　
第２　平成２４年８月２４日の手続補正の却下について 
　
［補正却下の決定の結論］
　
　平成２４年８月２４日の手続補正を却下する。
　
［理由］
　
１．補正の目的
　
　平成２４月８月２４日の手続補正（以下、「本件補正」という。）により、特許請求の範囲の請求項１は、次のとおりに補正された（下線は、当該手続補正において、審判請求人が付与したものである。）。
　
＜本件補正後の請求項１＞
「ユーザ端末のスクリーンセーバモジュールからユーザＩＤを含む商品情報要求を受け付け、
ユーザＩＤとウオッチ対象の商品情報とを登録するデータベースから
ウオッチ対象の
　前記スクリーンセーバモジュールにより前記商品情報に基づいて同時に表示される複数の商品の中から、一の商品を特定した商品ページ要求を受け付け、商品購入処理を開始する商品ページのページデータを返送する手段と
を備えたことを特徴とするネットショッピング管理装置。」
　
　本件補正前の特許請求の範囲の請求項１は、次のとおりである。
　
＜本件補正前の請求項１＞
「ユーザ端末のスクリーンセーバモジュールからユーザＩＤを含む商品情報要求を受け付け、当該ユーザＩＤに対応した履歴情報から関連する複数の商品についての商品情報を返送する手段と、
　前記スクリーンセーバモジュールにより前記商品情報に基づいて同時に表示される複数の商品の中から、一の商品を特定した商品ページ要求を受け付け、商品購入処理を開始する商品ページのページデータを返送する手段と
を備えたことを特徴とするネットショッピング管理装置。」
　
　本件補正により、「履歴情報」は「ウオッチ対象の商品情報」に補正され、「履歴」が削除された。
　さらに、本願明細書を参酌すると、本件補正前の「履歴情報」は、商品検索履歴データベース３０２及び商品購入履歴データベース３０３の情報に対応し、本件補正後の「ウオッチ対象の商品情報」は、ウオッチリストデータベース３０４の情報に対応すると解される。したがって、本件補正は、商品検索履歴データベース３０２及び商品購入履歴データベース３０３の情報を、ウオッチリストデータベース３０４の情報に変更する補正である。
　したがって、本件補正は、「履歴情報」を「ウオッチ対象の商品情報」に補正して、情報の内容を変更するものであるから、特許請求の範囲の減縮を目的とするものではない。また、本件補正は、請求項の削除、明りようでない記載の釈明、誤記の訂正を目的とするものでもない。
　よって、本件補正は、特許法第１７条の２第５項の規定に違反する。
　
　なお、仮に、本件補正が、特許請求の範囲の減縮を目的とするものである場合に、本件補正後の請求項１に係る発明（以下、「本件補正発明」という。）が、特許出願の際に独立して特許を受けることができるか、すなわち、本件補正が、同法第１７条の２第６項において準用する同法第１２６条第５項の規定を満たすか否かについて、次に検討する。
　
２．引用文献
　
　原査定の拒絶理由において引用された特開２００７−２１９８６０号公報（以下、「引用文献」という。）には、次の事項が記載されている（下線は、当審において付与した。）。
　
ア．「【００１９】
　本実施形態において、
アフィリエイトシステムは、音楽アーティストのプロモーションビデオを配信するアフィリエイトサイトシステム１と、このプロモーションビデオをスクリーンセーバーとして再生するユーザ端末２と、このプロモーションビデオに関連する音楽アイテムを販売するＥＣサイトシステム３と、ＥＣサイトシステム３の売上に基づいてアフィリエイト報酬をアフィリエイトサイトに支払うアフィリエイト仲介システム４とで構成されている。各システムおよび端末１〜４は、インターネットを介して相互に通信を可能とするモデム等の通信手段を備えている。
　
イ．「【００２０】
  このうち、
アフィリエイトサイトシステム１は、映像コンテンツ制作者によって制作された映像コンテンツ（プロモーションビデオ）をＨＤＤ等の映像コンテンツ記憶手段に格納している。
実際には、映像コンテンツ識別子と、ＥＣサイトのＵＲＬ（引数を含む）とが関連付けて記憶されている
  更に、
映像コンテンツには、嗜好分類コードが関連付けられている。嗜好分類コードは、映像コンテンツに対するユーザの嗜好を分類し、当該分類毎に付与されたコードであり、例えば、ロック、ポップス等の音楽ジャンルの分類
が考えられる
  また、
アフィリエイトサイトシステム１は、ユーザ嗜好記憶手段を備えている。ユーザ嗜好記憶手段には、図２（ｄ）に示すように、ユーザの識別子と、そのユーザが嗜好する分類の嗜好分類コードとが関連付けて記憶される。
ユーザ識別子に対する嗜好分類コードの関連付けは、ユーザがユーザ端末から編集することができ、また、後述するようにシステムによって自動的に編集される場合がある。
　
ウ．「【００２１】
　また、
ユーザ端末２は、
スクリーンセーバー再生手段と、ＥＣサイト接続手段とを実現する
　
エ．「【００２５】
　
ユーザ端末２において、スクリーンセーバー再生手段が起動されると、スクリーンセーバー再生手段は、アフィリエイトサイトシステム１に対し、映像コンテンツの配信を要求する。この要求を受けたアフィリエイトサイトシステム１は、映像コンテンツ記憶手段から所定のレコードを選択し、当該レコードに含まれる映像コンテンツ識別子と、ＥＣサイトのＵＲＬ（アフィリエイトサイト識別子、映像コンテンツ制作者識別子およびアイテム識別子を引数に含む（以下同じ））を読み出し、ユーザ端末２に送信する。また、読み出した映像コンテンツ識別子に対応する映像コンテンツの実体を記憶手段から読み出し、ユーザ端末２に配信する（Ｓ１）
　これを詳述すると、アフィリエイトサイトシステム１は、ユーザ端末２が映像コンテンツの配信を要求してきたとき、ユーザ端末２からユーザの識別子を取得する。ユーザ識別子の取得は、例えば、ユーザ端末２に保存されたCookiから行うことが考えられる。次いで、アフィリエイトサイトシステム１は、ユーザ嗜好記憶手段からユーザ識別子の一致するレコードを検索し、当該レコードに関連付けられた嗜好分類コードを読み出す。次いで、アフィリエイトサイトシステム１は、映像コンテンツ記憶手段の配信がスケジューリングされた映像コンテンツの中から、嗜好分類コードの一致するレコードだけを選択し、スケジュールに沿って順次ユーザ端末２に上記の配信を実行する
【００２６】
　
ユーザ端末２は、アフィリエイトサイトシステム１が送信した映像コンテンツ識別子とＥＣサイトＵＲＬとの関連付けを受信し、記憶手段に格納する（図２（ａ））。また、アフィリエイトサイトシステム１が配信する映像コンテンツを記憶手段にバッファリングしつつ、スクリーンセーバー再生手段が、バッファリングした映像コンテンツを表示手段にスクリーンセーバーとしてストリーミング再生する（Ｓ２）。１本の映像コンテンツの配信が完了すると、次の１本の映像コンテンツが上記のように順次配信されるようになっている
【００２７】
　
この映像コンテンツ（音楽アーティストのプロモーション映像）の再生中に、ユーザが入力手段からアイテム購入を要求する所定の操作を行うと、ＥＣサイト接続手段は、この操作を検知し、スクリーンセーバー再生手段が再生中の映像コンテンツの識別子に関連付けられたＥＣサイトＵＲＬを記憶手段から読み出し、当該ＵＲＬへのアクセスをもってＥＣサイトシステム３に接続する。このとき、ユーザ端末２からＥＣサイトシステム３に対し、アフィリエイトサイト識別子、映像コンテンツ制作者識別子およびアイテム識別子が送信される
　また、ＥＣサイト接続手段は、上記ユーザの操作を検知したとき、スクリーンセーバー再生手段が再生中の映像コンテンツの識別子を、ユーザ識別子に関連付けてアフィリエイトサイトシステム１に送信する。この情報を受信したアフィリエイトサイトシステム１は、受信した映像コンテンツ識別子に関連付いた嗜好分類コードを映像コンテンツ記憶手段から読み出し、その嗜好分類コードを、ユーザ嗜好記憶手段において上記受信したユーザ識別子に対応する嗜好分類コードに反映させる。
【００２８】
　一方、
ＥＣサイトシステム３は、ＥＣサイト接続手段から送信された情報を関連付けて記憶手段に格納すると共に（図２（ｂ））、受信したアイテム識別子に対応するアイテム購入インタフェースを記憶手段から読み出してユーザ端末２に提供する
【００２９】
　
ユーザが、アイテム購入インタフェースを介してアイテム（音源、ビデオ等の音楽アイテム）の購入を決定すると、ユーザ端末２からＥＣサイトシステム３に注文書が送信される（Ｓ３）
　
オ．「【００３５】
　ここで、本発明は上記実施形態に限られない。例えば、アフィリエイトサイトシステム１が提供する映像コンテンツは、音楽アーティストのプロモーションビデオに限らず、映画の予告編やテレビコマーシャル等でもよく、映像コンテンツの種類は問わない。」
　
　前記ア．〜オ．及び関連する図面の記載によれば、引用文献には、次の発明（以下、「引用発明」という。）が記載されているといえる。
　
＜引用発明＞
「音楽アーティストのプロモーションビデオを配信するアフィリエイトサイトシステムと、このプロモーションビデオをスクリーンセーバーとして再生するユーザ端末と、このプロモーションビデオに関連する音楽アイテムを販売するＥＣサイトシステムと、ＥＣサイトシステムの売上に基づいてアフィリエイト報酬をアフィリエイトサイトに支払うアフィリエイト仲介システムとで構成され、各システムおよび端末が、インターネットを介して相互に通信を可能とするアフィリエイトシステムにおいて、
　アフィリエイトサイトシステムは、映像コンテンツ記憶手段とユーザ嗜好記憶手段とを備え、
　映像コンテンツ記憶手段は、映像コンテンツを格納し、映像コンテンツ識別子と、ＥＣサイトのＵＲＬと、映像コンテンツに対するユーザの嗜好を分類する音楽ジャンルなどの嗜好分類コードとを関連付けて記憶し、
　ユーザ嗜好記憶手段は、ユーザ識別子と、そのユーザが嗜好する分類の嗜好分類コードとを関連付けて記憶し、当該関連付けは、ユーザがユーザ端末から編集することができ、また、システムによって自動的に編集され、
　ユーザ端末はスクリーンセーバー再生手段とＥＣサイト接続手段を備え、スクリーンセーバー再生手段は、起動されるとアフィリエイトサイトシステムに対し映像コンテンツの配信を要求し、
　アフィリエイトサイトシステムは、映像コンテンツの配信要求を受信すると、ユーザ端末に保存されたクッキーからユーザ識別子を取得し、ユーザ嗜好記憶手段からユーザ識別子に関連付けられた嗜好分類コードを読み出し、映像コンテンツ記憶手段から前記嗜好分類コードに一致する映像コンテンツを選択し、１本の映像コンテンツの配信が完了すると、次の１本の映像コンテンツを配信するように、複数本の映像コンテンツを順次ユーザ端末に配信し、
　ユーザ端末は、配信された映像コンテンツを記憶手段にバッファリングしつつ、スクリーンセーバー再生手段によって、映像コンテンツをスクリーンセーバーとしてストリーミング再生し、さらに、アフィリエイトサイトシステムから映像コンテンツ識別子とＥＣサイトＵＲＬとの関連付けを受信して記憶手段に格納し、
　ユーザ端末のＥＣサイト接続手段は、映像コンテンツの再生中に、ユーザが入力手段からアイテム購入を要求する所定の操作を行ったことを検知すると、再生中の映像コンテンツの識別子に関連付けられたＥＣサイトＵＲＬを記憶手段から読み出し、当該ＵＲＬへのアクセスをもってＥＣサイトシステムに接続し、このとき、ユーザ端末からＥＣサイトシステムに対し、アフィリエイトサイト識別子、映像コンテンツ制作者識別子およびアイテム識別子を送信するとともに、再生中の映像コンテンツの識別子を、ユーザ識別子に関連付けてアフィリエイトサイトシステムに送信し、
　アフィリエイトサイトシステムは、ユーザ端末から受信した映像コンテンツ識別子に関連付いた嗜好分類コードを映像コンテンツ記憶手段から読み出し、その嗜好分類コードを、受信したユーザ識別子に対応する嗜好分類コードとして、ユーザ嗜好記憶手段に反映させ、
　ＥＣサイトシステムは、ユーザ端末から受信したアイテム識別子に対応するアイテム購入インタフェースをユーザ端末に提供し、
　ユーザ端末は、ユーザがアイテム購入インタフェースを介してアイテムの購入を決定するとＥＣサイトシステムに注文書を送信する、アフィリエイトシステム。」
　
３．対比
　
　次に、本件補正発明と引用発明とを対比する。
　
・引用発明の「アフィリエイトサイトシステム」と「ＥＣサイトシステム」は、全体としてユーザに音楽アイテムを販売するための装置といえるから、本件補正発明の「ネットショッピング管理装置」に相当する。
　
・引用発明の「スクリーンセーバー再生手段」は、本件補正発明の「スクリーンセーバモジュール」に相当する。
　
・引用発明の「映像コンテンツ」は、音楽アイテムを販売するためのプロモーションビデオであるから、本件補正発明の「商品情報」に相当する。
　引用発明の「映像コンテンツの配信要求」は、本件補正発明の「商品情報要求」に相当する。
　引用発明の「ユーザ識別子」は、本件補正発明の「ユーザＩＤ」に相当する。
　引用発明の「映像コンテンツの配信要求」は「ユーザ識別子」を含まないのに対し、本件補正発明の「商品情報要求」は「ユーザＩＤ」を含む点で相違するものの、ユーザ端末からユーザＩＤを受け付ける点では共通する。
　したがって、引用発明の「アフィリエイトサイトシステムは、映像コンテンツの配信要求を受信すると、ユーザ端末に保存されたクッキーからユーザ識別子を取得し」と、本件補正発明の「ユーザ端末のスクリーンセーバモジュールからユーザＩＤを含む商品情報要求を受け付け」は、「ユーザ端末のスクリーンセーバモジュールから商品情報要求を受け付け、ユーザ端末からユーザＩＤを受け付け」の点で共通する。
　
・引用発明のユーザ嗜好記憶手段に記憶される「嗜好分類コード」は、例えば、音楽ジャンルのような分類であり、映像コンテンツに対するユーザの嗜好を分類するものである。そして、その映像コンテンツは、ＥＣサイトで販売している音楽アイテムのプロモーションビデオである。したがって、「嗜好分類コード」は、ユーザの興味対象の商品情報といえる。また、ユーザ嗜好記憶手段に記憶される嗜好分類コードは、ユーザがユーザ端末から編集することができるから、ユーザによってユーザ嗜好記憶手段に登録される。
　これに対し、本件補正発明の「ウオッチ対象の商品情報」も、データベースに登録され、ユーザが興味を持ち、ウオッチしたい商品の情報である。
　したがって、引用発明における「嗜好分類コード」と、本件補正発明の「ウオッチ対象の商品情報」は、「興味対象の商品情報」の点で共通する。
　また、引用発明における「ユーザ識別子と、そのユーザが嗜好する分類の嗜好分類コードとを関連付けて」記憶した「ユーザ嗜好記憶手段」と、本件補正発明の「ユーザＩＤとウオッチ対象の商品情報とを登録するデータベース」は、「ユーザＩＤと興味対象の商品情報とを登録するデータベース」の点で共通する。
　
・引用発明のアフィリエイトサイトシステムにおける「ユーザ嗜好記憶手段からユーザ識別子に関連付けられた嗜好分類コードを読み出し、映像コンテンツ記憶手段から前記嗜好分類コードに一致する映像コンテンツを選択し、１本の映像コンテンツの配信が完了すると、次の１本の映像コンテンツを配信するように、複数本の映像コンテンツを順次ユーザ端末に配信し」と、本件補正発明の「ユーザＩＤとウオッチ対象の商品情報とを登録するデータベースから当該ユーザＩＤに対応したウオッチ対象の複数の商品についての商品情報を返送する」は、「ユーザＩＤと興味対象の商品情報とを登録するデータベースから当該ユーザＩＤに対応した興味対象の複数の商品についての商品情報を返送する」の点で共通する。
　
・引用発明において、ユーザが映像コンテンツの再生中にアイテム購入を要求する操作を行った際に、ユーザ端末からＥＣサイトシステムに送信される各種識別子は、アイテム購入インタフェースの要求であり、その中のアイテム識別子は、スクリーンセーバー再生手段により映像コンテンツに基づいて表示される複数のアイテムの中から、一のアイテムを特定するものである。
　そして、ＥＣサイトシステムは、このアイテム識別子を含んだアイテム購入インタフェースの要求を受信すると、アイテム識別子に対応するアイテム購入インタフェースをユーザ端末に送信する。
　したがって、引用発明における「ユーザ端末から受信したアイテム識別子に対応するアイテム購入インタフェースをユーザ端末に提供」するＥＣサイトシステムの手段と、本件補正発明の「前記スクリーンセーバモジュールにより前記商品情報に基づいて同時に表示される複数の商品の中から、一の商品を特定した商品ページ要求を受け付け、商品購入処理を開始する商品ページのページデータを返送する手段」は、「前記スクリーンセーバモジュールにより前記商品情報に基づいて表示される複数の商品の中から、一の商品を特定した商品購入インタフェース要求を受け付け、商品購入処理を開始する商品購入インタフェースのデータを返送する手段」の点で共通する。
　
　したがって、本件補正発明と引用発明は、以下の点で一致する。
　
＜一致点＞
「ユーザ端末のスクリーンセーバモジュールから商品情報要求を受け付け、ユーザ端末からユーザＩＤを受け付け、ユーザＩＤと興味対象の商品情報とを登録するデータベースから当該ユーザＩＤに対応した興味対象の複数の商品についての商品情報を返送する手段と、
　前記スクリーンセーバモジュールにより前記商品情報に基づいて表示される複数の商品の中から、一の商品を特定した商品購入インタフェース要求を受け付け、商品購入処理を開始する商品購入インタフェースのデータを返送する手段と
を備えたことを特徴とするネットショッピング管理装置。」
　
　そして、本件補正発明と引用発明は、以下の点で相違する。
　
＜相違点１＞
　「商品情報要求」が、本件補正発明では「ユーザＩＤを含む」のに対し、引用発明では「ユーザＩＤ（ユーザ識別子）」を含まないものであり、その「ユーザＩＤ（ユーザ識別子）」は、ユーザ端末に保存されたクッキーから取得される点。
　
＜相違点２＞
　「興味対象」が、本件補正発明では「ウオッチ対象」であるのに対し、引用発明では、嗜好の対象である点。
　
＜相違点３＞
　スクリーンセーバモジュールによって表示される複数の商品が、本件補正発明では「同時」に表示されるのに対し、引用発明では「順次」表示される点。
　
＜相違点４＞
　「商品購入インタフェース」が、本件補正発明では「商品ページ」であるのに対し、引用発明では「アイテム購入インタフェース」である点。
　
４．判断
　
＜相違点１＞について
　
　ユーザ端末からインターネット上のサイトにサービスを要求する場合に、必要な情報やパラメータを要求に含めて送信することは周知である。
　引用発明の「ユーザ識別子」は、アフィリエイトサイトシステムが、ユーザ端末から映像コンテンツの配信要求を受信した場合に、配信する映像コンテンツを選択するために必要となる情報であるから、配信要求に応答するために必要となる「ユーザ識別子」を配信要求自体に含めることは格別困難ではない。
　してみると、引用発明において、アフィリエイトサイトシステムが、映像コンテンツの配信要求を受信する際に、クッキーからユーザ識別子を取得するのに代えて、ユーザ識別子を含む配信要求を受信することにより、上記相違点１に係る構成を備えるようにすることは容易に想到し得ることである。
　
＜相違点２＞について
　
　引用発明は、ユーザが、ユーザ嗜好記憶手段に記憶される嗜好分類コードを編集できるものである。
　その場合に、ユーザが、興味を持ちウオッチしたいアイテムに関連する嗜好分類コードを登録して、そのアイテムの映像コンテンツが配信されるように設定することは、普通に想定されることである。
　してみると、引用発明において、ユーザ嗜好記憶手段に登録される嗜好分類コードを、「ウオッチ対象の商品情報」とすることは、容易に想到し得ることである。
　
＜相違点３＞について
　
　引用文献には、映像コンテンツについて次の記載がある（前記エ．参照）。
「【００３５】
　ここで、本発明は上記実施形態に限られない。例えば、アフィリエイトサイトシステム１が提供する映像コンテンツは、音楽アーティストのプロモーションビデオに限らず、映画の予告編やテレビコマーシャル等でもよく、映像コンテンツの種類は問わない。」
　上記記載によれば、引用発明の映像コンテンツは、どのような内容でもよいものである。
　一方、インターネットを介して商品の広告を配信する場合に、例えば、ブラウザーに表示される複数のバナー広告のように、一つの画面上に複数の商品広告を同時に表示する形態は、ウェブサイトが採用している周知の広告表示形態である（前置報告書において引用された特開２００２−７４１７１号公報の段落【００４７】「複数の商品広告の表示画像を一つの画面領域に配列する」の記載参照。）。このような複数の商品を同時に表示する映像コンテンツであっても、映像である以上、スクリーンセーバーとして利用可能であることは明らかである。
　してみると、引用発明の映像コンテンツに複数の商品広告を表示する形態を、複数の商品広告を同時に表示する上記周知の形態に変更して、上記相違点３に係る構成とすることは容易に想到し得ることである。
　
＜相違点４＞について
　
　インターネット上の商品販売サイトとユーザ端末との間で売買を行う際に、商品販売サイトがユーザ端末のブラウザに、商品購入処理を開始するための商品ページを送信し、購入ボタンが押されたときに、ページデータを商品販売サイトに返送することは周知である。
　してみると、引用発明において、アイテム購入インタフェースを商品ページとして、そのページデータを返送して、上記相違点４に係る構成を備えるようにすることは容易に想到し得ることである。
　
　そして、本件補正発明の作用効果も、引用発明及び周知技術から当業者が予測できる範囲のものである。
　したがって、本件補正発明は、引用発明及び周知技術に基いて当業者が容易に発明をすることができたものであり、特許法第２９条第２項の規定により独立して特許を受けることができないものである。
　
５．補正却下の決定のむすび
　
　以上のとおり、本件補正は、特許法第１７条の２第５項の規定に違反するので、同法第１５９条第１項において読み替えて準用する同法第５３条第１項の規定により却下すべきものである。
　また、仮に、本件補正が、特許法第１７条の２第５項に規定された特許請求の範囲の減縮を目的とするものであるとしても、本件補正は、特許法第１７条の２第６項において準用する同法第１２６条第５項の規定に違反するので、同法第１５９条第１項において読み替えて準用する同法第５３条第１項の規定により却下すべきものである。
　
第３　本願発明
　
　平成２４年８月２４日の手続補正は上記のとおり却下されたので，本願の請求項１に係る発明（以下「本願発明」という。）は，平成２４年４月５日の手続補正により補正された特許請求の範囲の請求項１に記載されたとおりのものである。
　
＜本願発明＞
「ユーザ端末のスクリーンセーバモジュールからユーザＩＤを含む商品情報要求を受け付け、当該ユーザＩＤに対応した履歴情報から関連する複数の商品についての商品情報を返送する手段と、
　前記スクリーンセーバモジュールにより前記商品情報に基づいて同時に表示される複数の商品の中から、一の商品を特定した商品ページ要求を受け付け、商品購入処理を開始する商品ページのページデータを返送する手段と
を備えたことを特徴とするネットショッピング管理装置。」
　
第４　引用文献
　
　原査定の拒絶の理由に引用された引用文献の記載事項及び引用発明は、前記第２、２．に記載したとおりである。 
　
第５　対比
　
　次に、本願発明と引用発明とを対比する。
　
・引用発明の「アフィリエイトサイトシステム」と「ＥＣサイトシステム」は、全体としてユーザに音楽アイテムを販売するための装置といえるから、本願発明の「ネットショッピング管理装置」に相当する。
　
・引用発明の「スクリーンセーバー再生手段」は、本願発明の「スクリーンセーバモジュール」に相当する。
　
・引用発明の「映像コンテンツ」は、音楽アイテムを販売するためのプロモーションビデオであるから、本願発明の「商品情報」に相当する。
　引用発明の「映像コンテンツの配信要求」は、本願発明の「商品情報要求」に相当する。
　引用発明の「ユーザ識別子」は、本願発明の「ユーザＩＤ」に相当する。
　引用発明の「映像コンテンツの配信要求」は「ユーザ識別子」を含まないのに対し、本願発明の「商品情報要求」は「ユーザＩＤ」を含む点で相違するものの、ユーザ端末からユーザＩＤを受け付ける点では共通する。
　したがって、引用発明の「アフィリエイトサイトシステムは、映像コンテンツの配信要求を受信すると、ユーザ端末に保存されたクッキーからユーザ識別子を取得し」と、本願発明の「ユーザ端末のスクリーンセーバモジュールからユーザＩＤを含む商品情報要求を受け付け」は、「ユーザ端末のスクリーンセーバモジュールから商品情報要求を受け付け、ユーザ端末からユーザＩＤを受け付け」の点で共通する。
　
・引用発明は、ユーザが映像コンテンツの再生中にアイテム購入を要求する操作を行うと、その映像コンテンツに関連付けられた嗜好分類コードを、ユーザ嗜好記憶手段に反映させる。この場合、嗜好分類コードは、ユーザが購入を要求する操作を行ったアイテムに関する履歴情報といえる。
　したがって、引用発明における、ユーザ嗜好記憶手段に記憶された「嗜好分類コード」は、本願発明の「履歴情報」に相当する。
　
・引用発明のアフィリエイトサイトシステムにおける「ユーザ嗜好記憶手段からユーザ識別子に関連付けられた嗜好分類コードを読み出し、映像コンテンツ記憶手段から前記嗜好分類コードに一致する映像コンテンツを選択し、１本の映像コンテンツの配信が完了すると、次の１本の映像コンテンツを配信するように、複数本の映像コンテンツを順次ユーザ端末に配信し」は、本願発明の「当該ユーザＩＤに対応した履歴情報から関連する複数の商品についての商品情報を返送する」に相当する。
　
・引用発明において、ユーザが映像コンテンツの再生中にアイテム購入を要求する操作を行った際に、ユーザ端末からＥＣサイトシステムに送信される各種識別子は、アイテム購入インタフェースの要求であり、その中のアイテム識別子は、スクリーンセーバー再生手段により映像コンテンツに基づいて表示される複数のアイテムの中から、一のアイテムを特定するものである。
　そして、ＥＣサイトシステムは、このアイテム識別子を含んだアイテム購入インタフェースの要求を受信すると、アイテム識別子に対応するアイテム購入インタフェースをユーザ端末に送信する。
　したがって、引用発明における「ユーザ端末から受信したアイテム識別子に対応するアイテム購入インタフェースをユーザ端末に提供」するＥＣサイトシステムの手段と、本願発明の「前記スクリーンセーバモジュールにより前記商品情報に基づいて同時に表示される複数の商品の中から、一の商品を特定した商品ページ要求を受け付け、商品購入処理を開始する商品ページのページデータを返送する手段」は、「前記スクリーンセーバモジュールにより前記商品情報に基づいて表示される複数の商品の中から、一の商品を特定した商品購入インタフェース要求を受け付け、商品購入処理を開始する商品購入インタフェースのデータを返送する手段」の点で共通する。
　
　したがって、本願発明と引用発明は、以下の点で一致する。
　
＜一致点＞
「ユーザ端末のスクリーンセーバモジュールから商品情報要求を受け付け、ユーザ端末からユーザＩＤを受け付け、当該ユーザＩＤに対応した履歴情報から関連する複数の商品についての商品情報を返送する手段と、
　前記スクリーンセーバモジュールにより前記商品情報に基づいて表示される複数の商品の中から、一の商品を特定した商品購入インタフェース要求を受け付け、商品購入処理を開始する商品購入インタフェースのデータを返送する手段と
を備えたことを特徴とするネットショッピング管理装置。」
　
　そして、本願発明と引用発明は、以下の点で相違する。
　
＜相違点１＞
　「商品情報要求」が、本願発明では「ユーザＩＤを含む」のに対し、引用発明では「ユーザＩＤ（ユーザ識別子）」を含まないものであり、その「ユーザＩＤ（ユーザ識別子）」は、ユーザ端末に保存されたクッキーから取得される点。
　（前記第２　３．において検討した、本件補正発明と引用発明との＜相違点１＞と同じ。）
　
＜相違点２＞
　スクリーンセーバモジュールによって表示される複数の商品が、本願発明では「同時」に表示されるのに対し、引用発明では「順次」表示される点。
　（前記第２　３．において検討した、本件補正発明と引用発明との＜相違点３＞と同じ。）
　
＜相違点３＞
　「商品購入インタフェース」が、本願発明では「商品ページ」であるのに対し、引用発明では「アイテム購入インタフェース」である点。
　（前記第２　３．において検討した、本件補正発明と引用発明との＜相違点４＞と同じ。）
　
第６　判断
　
　上記＜相違点１＞〜＜相違点３＞は、本件補正発明と引用発明との相違点である＜相違点１＞＜相違点３＞＜相違点４＞と同じであるから、前記第２　４．において検討したとおり、本願発明は、引用発明及び周知技術に基いて当業者が容易に発明をすることができたものである。
　
第７　むすび
　
　以上のとおり、本願発明は、引用発明及び周知技術に基いて、当業者が容易に発明をすることができたものであり、特許法第２９条第２項の規定により特許を受けることができないから、他の請求項について検討するまでもなく、本願は拒絶すべきものである。
　よって，結論のとおり審決する。